(57)【特許請求の範囲】
【請求項１】
略矩形のベース部と、このベース部の四隅に立設されるメインフレームと、このメインフレームの上端部に取着される天部と、隣接する上記メインフレームにそれぞれ固定され、同メインフレームの側面および背面をそれぞれ閉鎖する側板および背板と、同メインフレームの前面に取着される開閉自在な扉とを有している電子機器収納ボックスにおいて、
上記ベース部の周縁に袋状立上部を設けるとともに、上記メインフレームの下端に上記袋状立上部のコーナー部分の奥行方向および幅方向の両垂直面部に密着できる接合面部を有している接合部材を設けて、同ベース部にて上記接合面部と上記両垂直面部とを結合部材で固定するようになし、
上記袋状立上部は、ベース基部の周縁を立ち上げて形成する立上部とこの立上部の先端を内方へ屈曲して形成する水平代部とを有するベース部材に、上記垂直面部を備える断面略Ｚ字形の補助部材の上水平部が上記水平代部に重なるよう同水平代部と上記ベース基部との間に補助部材を嵌入せしめ、かつ、上記メインフレームの接合部に接合水平代を設け、この接合水平代と上記ベース基部とで上記補助部材の下水平部を挟持するようにし、上記接合水平代と上記ベース基部との間に上記補助部材の肉厚相当の隙間を設けるようになしたことを特徴とする電子機器収納ボックス。
【請求項２】
上記袋状立上部の内周縁に目隠し縁を連設していることを特徴とする請求項１記載の電子機器収納ボックス。
【請求項３】
上記天部の周縁にも上記袋状立上部を設けるとともに、上記メインフレームの上端に同袋状立上部のコーナー部分の奥行方向および幅方向の両垂直面部に密着できる接合面部を有している接合部材を設けて、上記天部においても上記接合面部と上記両垂直面部とを結合部材で固定するようになし、
上記天部側の袋状立上部は、天基部の周縁を立ち上げて形成する立上部とこの立上部の先端を内方へ屈曲して形成する水平代部とを有する天部材に、上記垂直面部を備える断面略Ｚ字形の補助部材の下水平部が上記水平代部に重なるよう同水平代部と上記天基部との間に補助部材を嵌入せしめ、かつ、上記メインフレームの接合部に接合水平代を設け、この接合水平代と上記天基部とで上記補助部材の上水平部を挟持するようにし、上記接合水平代と上記天基部との間に上記補助部材の肉厚相当の隙間を設けるようになしたことを特徴とする請求項１又は請求項２記載の電子機器収納ボックス。
【請求項４】
上記天部側の袋状立上部の内周縁に目隠し縁を連設していることを特徴とする請求項３記載の電子機器収納ボックス。
【請求項５】
上記天部側の袋状立上部は、オプションユニットを取着するための開口を有しており、この開口の対向辺近傍部にオプションユニット取着孔を所定ピッチで複数設けるとともに、このオプションユニット取着孔を用いて取着される開口蓋板を設けて、この開口蓋板をずらして同オプションユニットを取着する数に応じて取着するようになしたことを特徴とする請求項３又は請求項４記載の電子機器収納ボックス。
【請求項６】
上記メインフレームの稜線近傍に係止部を形成して、この係止部に交換可能なように着脱自在となした被係止部を有する化粧枠を取りつけたことを特徴とする請求項１ないし請求項５のいずれかに記載の電子機器収納ボックス。
【請求項７】
上記扉に近接する各メインフレームに、上記扉の側縁が当接する当接面部をそれぞれ設けて、この当接面部に中桟固定孔を穿設しておき、この中桟固定孔に中桟を取り付けることによって、同扉を複数に上下分割行えるようになしたことを特徴とする請求項１ないし請求項６のいずれかに記載の電子機器収納ボックス。
【発明の詳細な説明】
【０００１】
【発明の属する技術分野】
本発明は、電子機器収納ボックスに関し、さらに詳しくは、略矩形のベース部と、このベース部の四隅に立設されるメインフレームと、このメインフレームの上端部に取着される天部と、隣接する上記メインフレームにそれぞれ固定され、同メインフレームの側面および背面をそれぞれ閉鎖する側板および背板と、同メインフレームの前面に取着される開閉自在な扉とを有している電子機器収納ボックスに関するものである。
【０００２】
【従来の技術】
最近、ＩＴ技術の発展に伴って、各地に情報センタービルが建築されている。これらの情報センタービルには、電子情報の配信をつかさどるたくさんのサーバが設置されている。これらサーバは、高価で精密な電子機器であり、かつ、多くの貴重な電子データが格納されているものである。これらサーバは、挨などがかぶったり、第三者に勝手に触られたり操作されたりしないように、施錠できる開閉扉を備える電子機器収納ボックスに大切に収納保管されているものである。
【０００３】
具体的に、このような従来の電子機器収納ボックスとしては、図１７および図１８に示すごとく、略矩形のベース部（１）と、このベース部（１）の四隅に立設されるメインフレーム（２）と、このメインフレーム（２）の上端部に取着される天部（３）と、隣接する上記メインフレーム（２）にそれぞれ固定され、同メインフレーム（２）の側面および背面をそれぞれ閉鎖する側板（４）および背板（５）と、同メインフレーム（２）の前面に取着され、施錠できる開閉自在な扉（６）とを有しているものであった。
【０００４】
なお、図１８に示すごとき縦方向の長さ（Ｌ）としては、電子機器収納ボックスが電子情報の配信をつかさどるたくさんの電子機器が収納されているために、一般には長尺なものであるが、特に制限されるものではなく、収納する電子機器の量などに応じて、自由自在に設定することができるものである。
【０００５】
【発明が解決しようとする課題】
このような電子機器収納ボックスには、基本的に、サーバ収納のためのスペース効率が高く、かつ、サーバからの発熱を外部に旨く放散でき、地震などがあってもサーバに被害がおよび難いという機能が求められるものであった。
【０００６】
しかしながら、このような従来の電子機器収納ボックスの構成においては、図１７および図１８に示すごとき場合では、ベース部（１）とメインフレーム（２）の接続部分や天部（３）とメインフレーム（２）の接続部分などは溶接にて行われていたために、地震による横揺れに対してぐらつきやすいものであり、その結果、サーバに被害がおよぶというおそれがあり、耐震性に対しての問題を抱えていたものであった。しかも、オプションとしての放熱のためのファンユニットが取り付け難かったり、無駄が生じたり、内部が見通せるような隙間が生じたりしており、美観という点でも問題を抱えていた。また、多様なユーザーにあって、見栄えの好みがあり、フレキシブルに対応したいものの、対応できていなかった。
【０００７】
ところで、図１９に示すごとき場合のように、地震による揺れに対しての対策として、ベース部（１）とメインフレーム（２）の接続部分において、ボルトナット（４０）で取り付け固定する方法も考えられていたが、このボルトナット（４０）の水平面での取り付け固定は、現場での施工が容易であるものの、地震による横揺れに対してぐらつきを充分に押さえるには至らないものであり、依然として耐震性に対しての問題を抱えていたものであった。
【０００８】
本発明は、上述の事実に鑑みてなされたものであって、その目的とするところは、頑丈で美観に優れる電子機器収納ボックスを提供することにある。
【０００９】
【課題を解決するための手段】
本発明の請求項１に係る電子機器収納ボックスは、略矩形のベース部（１）と、このベース部（１）の四隅に立設されるメインフレーム（２）と、このメインフレーム（２）の上端部に取着される天部（３）と、隣接する上記メインフレーム（２）にそれぞれ固定され、同メインフレーム（２）の側面および背面をそれぞれ閉鎖する側板（４）および背板（５）と、同メインフレーム（２）の前面に取着される開閉自在な扉（６）とを有している電子機器収納ボックスにおいて、上記ベース部（１）の周縁に袋状立上部（７）を設けるとともに、上記メインフレーム（２）の下端（１３）に上記袋状立上部（７）のコーナー部分の奥行方向および幅方向の両垂直面部（８）に密着できる接合面部（９）を有している接合部材（１０）を設けて、同ベース部（１）にて上記接合面部（９）と上記両垂直面部（８）とを結合部材（１１）で固定するようになし、上記袋状立上部（７）は、ベース基部（１７）の周縁を立ち上げて形成する立上部（１８）とこの立上部（１８）の先端を内方へ屈曲して形成する水平代部（１９）とを有するベース部材（２０）に、上記垂直面部（８）を備える断面略Ｚ字形の補助部材（２１）の上水平部（２２）が上記水平代部（１９）に重なるよう同水平代部（１９）と上記ベース基部（１７）との間に補助部材（２１）を嵌入せしめ、かつ、上記メインフレーム（２）の接合部（２３）に接合水平代（２４）を設け、この接合水平代（２４）と上記ベース基部（１７）とで上記補助部材（２１）の下水平部（２５）を挟持するようにし、上記接合水平代（２４）と上記ベース基部（１７）との間に上記補助部材（２１）の肉厚相当の隙間を設けるようになしたことを特徴とする。
【００１０】
本発明の請求項２に係る電子機器収納ボックスは、請求項１のものの上記袋状立上部（７）の内周縁に目隠し縁（２６）を連設していることを特徴とする。
【００１１】
本発明の請求項３に係る電子機器収納ボックスは、請求項１又は請求項２のものの上記天部（３）の周縁にも上記袋状立上部（７）を設けるとともに、上記メインフレーム（２）の上端（１４）に同袋状立上部（７）のコーナー部分の奥行方向および幅方向の両垂直面部（８）に密着できる接合面部（９）を有している接合部材（１０）を設けて、上記天部（３）においても上記接合面部（９）と上記両垂直面部（８）とを結合部材（１１）で固定するようになし、上記天部（３）側の袋状立上部（７）は、天基部（２７）の周縁を立ち上げて形成する立上部（１８）とこの立上部（１８）の先端を内方へ屈曲して形成する水平代部（１９）とを有する天部材（２８）に、上記垂直面部（８）を備える断面略Ｚ字形の補助部材（２１）の下水平部（２５）が上記水平代部（１９）に重なるよう同水平代部（１９）と上記天基部（２７）との間に補助部材（２１）を嵌入せしめ、かつ、上記メインフレーム（２）の接合部（２３）に接合水平代（２４）を設け、この接合水平代（２４）と上記天基部（２７）とで上記補助部材（２１）の上水平部（２２）を挟持するようにし、上記接合水平代（２４）と上記天基部（２７）との間に上記補助部材（２１）の肉厚相当の隙間を設けるようになしたことを特徴とする。
【００１２】
本発明の請求項４に係る電子機器収納ボックスは、請求項３のものの上記天部（３）側の袋状立上部（７）の内周縁に目隠し縁（２６）を連設していることを特徴とする。
【００１３】
本発明の請求項５に係る電子機器収納ボックスは、請求項３又は請求項４のものの上記天部（３）側の袋状立上部（７）は、オプションユニット（３１）を取着するための開口（３０）を有しており、この開口（３０）の対向辺近傍部にオプションユニット取着孔（３２）を所定ピッチで複数設けるとともに、このオプションユニット取着孔（３２）を用いて取着される開口蓋板（２９）を設けて、この開口蓋板（２９）をずらして同オプションユニット（３１）を取着する数に応じて取着するようになしたことを特徴とする。
【００１４】
本発明の請求項６に係る電子機器収納ボックスは、請求項１ないし請求項５のいずれかに記載のものの上記メインフレーム（２）の稜線近傍に係止部（３５）を形成して、この係止部（３５）に交換可能なように着脱自在となした被係止部（３４）を有する化粧枠（３３）を取りつけたことを特徴とする。
【００１５】
本発明の請求項７に係る電子機器収納ボックスは、請求項１ないし請求項６のいずれかに記載のものの上記扉（６）に近接する各メインフレーム（２）に、上記扉（６）の側縁が当接する当接面部（３６）をそれぞれ設けて、この当接面部（３６）に中桟固定孔（３８）を穿設しておき、この中桟固定孔（３８）に中桟（３７）を取り付けることによって、同扉（６）を複数に上下分割行えるようになしたことを特徴とする。
【００１９】
【発明の実施の形態】
以下、本発明を実施形態に係る図面に基づいて詳しく説明する。
【００２０】
図１の（ａ）は、本発明の一実施形態に係る電子機器収納ボックスを示した扉を取り除いた正面図であり、図１の（ｂ）は、同図１の（ａ）の電子機器収納ボックスでメインフレームの下端付近を示した要部の断面図である。図２は、本発明の一実施形態に係る電子機器収納ボックスを示した要部のみを示した一部破断した斜視図である。図３は、本発明の一実施形態に係る電子機器収納ボックスの全体を示した概略図である。
【００２１】
図４は、本発明の一実施形態に係る電子機器収納ボックスで扉を取り付けた際の全体の様子を示した概略図である。図５は、本発明の他の一実施形態に係る電子機器収納ボックスを示した要部のみの斜視図である。図６は、本発明の図５とは別の他の一実施形態に係る電子機器収納ボックスを示した要部のみの斜視図である。
【００２２】
また、図７は、図１の（ａ）の電子機器収納ボックスをＡ−Ａ線で切った一実施形態に係る断面図である。図８は、図１の（ａ）の電子機器収納ボックスをＢ−Ｂ線で切った一実施形態に係る断面図である。図９は、図１の（ａ）の電子機器収納ボックスをＡ−Ａ線で切った他の一実施形態に係る断面図である。
【００２３】
そして、図１０は、（ａ）、（ｂ）ともに、本発明のさらに他の一実施形態に係る電子機器収納ボックスを示した要部のみの斜視図である。図１１は、本発明の図１０とは別のさらに他の一実施形態に係る電子機器収納ボックスを示した要部のみの断面図である。図１２は、（ａ）、（ｂ）ともに、本発明の図１０や図１１とは別のさらに他の一実施形態に係る電子機器収納ボックスを示した要部のみの断面図である。図１３は、本発明の図１０ないし図１２とは別のさらに他の一実施形態に係る電子機器収納ボックスを示した斜視図である。
【００２４】
さらに、図１４は、図１３の電子機器収納ボックスの要部のみの断面図である。図１５は、本発明の一実施形態に係る電子機器収納ボックスでメインフレームの下端付近を示した扉を開けている際の要部の斜視図である。図１６は、本発明の電子機器収納ボックスが一個ないし複数個並べて配置されている様子を示した斜視図である。
【００２５】
本発明の電子機器収納ボックスは、高価で精密な電子機器であり、かつ、多くの貴重な電子データが格納されるものであって、図１ないし図１６に示すごとく、略矩形のベース部（１）と、このベース部（１）の四隅に立設されるメインフレーム（２）と、このメインフレーム（２）の上端部に取着される天部（３）と、隣接する上記メインフレーム（２）にそれぞれ固定され、同メインフレーム（２）の側面および背面をそれぞれ閉鎖する側板（４）および背板（５）と、同メインフレーム（２）の前面に取着される開閉自在な扉（６）とを有している電子機器収納ボックスにおいて、上記ベース部（１）の周縁に袋状立上部（７）を設け、上記メインフレーム（２）の下端（１３）に上記袋状立上部（７）のコーナー部分の奥行方向および幅方向の両垂直面部（８）に密着できる接合面部（９）を有している接合部材（１０）を設け、同ベース部（１）にて上記接合面部（９）と上記両垂直面部（８）とを結合部材（１１）で固定するようになしているものである。
【００２６】
上記ベース部（１）や上記メインフレーム（２）や天部（３）の形状、形態や材質については、上述されていること以外には、特に制限されることなく、様々なものを採用することができるものである。また、上記側板（４）および上記背板（５）としても、上述されていること以外には、特に制限されることなく、様々なものを採用することができるものである。
【００２７】
上記扉（６）は、開閉自在なものであって、上記メインフレーム（２）の前面に取着されているものである。この扉（６）は、挨などがかぶったり、第三者に勝手に触られたり操作されたりしないように、例えば、施錠することができるようになっているものである。この扉（６）としては、様々なものを採用することができて、特に制限されるものではないが、例えば、図４、図１３および図１６に示すごとく、枠状に形成された枠体の内側にアクリル板などの樹脂板が取り付けられてなっているものである。そして、この扉（６）には、開閉が行いやすいように、例えば、ハンドルなどが取り付けられているものである。
【００２８】
上記結合部材（１１）は、上記ベース部（１）にて上記接合面部（９）と上記両垂直面部（８）とを固定することができるものであれば、特に制限されるものではなく、例えば、図１の（ａ）、（ｂ）および図２に示すごとく、ボルト、ビスやナット、あるいは、ネジといった固定具でかまわないものである。
【００２９】
なお、本発明の電子機器収納ボックスには、電子機器が収納されるものであるが、必要に応じて、その内部には、サイドフレームやマウントレールやリアフレームなどが設けられていてもかまわないものである。
【００３０】
図１５および図１６に示すごとく、本発明の電子機器収納ボックスの下端部には、必要に応じて、キャスター（３９）が設けられており、このキャスター（３９）にて電子機器収納ボックスを設置したい様々な場所に移動させることができるようになっているものである。
【００３１】
また、必要に応じて、図１の（ａ）に示すごとく、収納された電子機器のアースを行うために、上記ベース部（１）の一部に接地端子ネジ（１２）が設けられていてもかまわないものである。
【００３２】
なお、本発明の電子機器収納ボックスにおいて、縦方向の長さとしては、従来の場合と同様に、電子機器収納ボックスが電子情報の配信をつかさどるたくさんの電子機器が収納されているために、一般には図１６に示すごとき長尺なものであるが、特に制限されるものではなく、収納する電子機器の量などに応じて、自由自在に設定することができるものである。
【００３３】
本発明は、このような構成をとることによって、接合面部（９）と両垂直面部（８）とを結合部材（１１）で固定することによって、ベース部（１）とメインフレーム（２）との結合を強固にできるので、地震などの揺れに対してぐらつき難くでき、しかも結合部材（１１）としてボルトなどを用いても結合部材（１１）を外観からは見えないようにすることができ、頑丈で美観に優れる電子機器収納ボックスを提供できるものである。
【００３４】
すなわち、本発明は、頑丈で美観に優れる電子機器収納ボックスとなっているものである。
【００３５】
また、図１の（ａ）、（ｂ）ないし図４、図１５に示すごとく、上記天部（３）の周縁にも上記袋状立上部（７）を設けるとともに、上記メインフレーム（２）の上端（１４）に同袋状立上部（７）のコーナー部分の奥行方向および幅方向の両垂直面部（８）に密着できる接合面部（９）を有している接合部材（１０）を設けて、上記天部（３）においても上記接合面部（９）と上記両垂直面部（８）とを結合部材（１１）で固定するようになしているものであると、ベース部（１）だけでなく天部（３）でも接合面部（９）と両垂直面部（８）とを結合部材（１１）で固定することができるので、地震などの揺れに対して更にぐらつき難くでき、しかも結合部材（１１）としてボルトなどを用いても結合部材（１１）を外観からは見えないようにすることができ、頑丈で美観に優れる電子機器収納ボックスを提供できるものである。
【００３６】
さらに、図５および図６に示すごとく、奥行方向または幅方向に隣接する上記メインフレーム（２）どうしを、奥行方向または幅方向に上記接合部材（１０）をもって一体とするようになしているものであると、一体化した方向の耐震性を向上できるとともに、一体化した方向の寸法精度を向上でき、幅方向で一体化した場合には扉（６）との関係寸法精度を向上でき、扉（６）の開閉がスムーズに行えなくなるようなことのない、非常に優れる電子機器収納ボックスを提供できるものである。
【００３７】
ところで、図５に示す場合は、幅方向に隣接するメインフレーム（２）どうしを、幅方向に接合部材（１０）をもって一体とするようになしているものであり、図６に示す場合は、奥行方向に隣接するメインフレーム（２）どうしを、奥行方向に接合部材（１０）をもって一体とするようになしているものである。
【００３８】
そして、図７に示すごとく、上記ベース部（１）側の袋状立上部（７）は、ベース基部（１７）の周縁を立ち上げて形成する立上部（１８）とこの立上部（１８）の先端を内方へ屈曲して形成する水平代部（１９）とを有するベース部材（２０）に、上記垂直面部（８）を備える断面略Ｚ字形の補助部材（２１）の上水平部（２２）が上記水平代部（１９）に重なるよう同水平代部（１９）と上記ベース基部（１７）との間に補助部材（２１）を嵌入せしめ、かつ、上記メインフレーム（２）の接合部（２３）に接合水平代（２４）を設け、この接合水平代（２４）と上記ベース基部（１７）とで上記補助部材（２１）の下水平部（２５）を挟持するようにし、上記接合水平代（２４）と上記ベース基部（１７）との間に上記補助部材（２１）の肉厚相当の隙間を設けるようになしているものであると、補助部材（２１）の下水平部（２５）をスペーサとして利用しているので、別途スペーサ部品が不要であり、部品点数を少なくできて、部品管理および組立が容易であり、また、接合水平代（２４）とベース基部（１７）との間に隙間があるから、接合水平代（２４）の上に台（１５）などを固定ネジ（１６）などで止めて設置するような場合、固定ネジ（１６）のネジ足を逃がすことができ、ベース基部（１７）から固定ネジ（１６）のネジ足を突き出させることがなく、チャンネルベースなどの上に載置することなく、床面に直置きできる、非常に優れる電子機器収納ボックスを提供できるものである。
【００３９】
ところで、図９に示すごとく、上記ベース部（１）側の袋状立上部（７）の内周縁に目隠し縁（２６）を連設しているものであると、このようなベース部（１）側の袋状立上部（７）の内周縁に連設している目隠し縁（２６）にて側板（４）、背板（５）、扉（６）と、袋状立上部（７）の頂部との隙間から、電子機器収納ボックスの内部が見えることなく、美観的に非常に優れる電子機器収納ボックスを提供できるものである。また、目隠し縁（２６）に防塵パッキンを貼りつけるなどすれば、防塵タイプの電子機器収納ボックスを提供できるものである。
【００４０】
そして、図８に示すごとく、上記天部（３）側の袋状立上部（７）は、天基部（２７）の周縁を立ち上げて形成する立上部（１８）とこの立上部（１８）の先端を内方へ屈曲して形成する水平代部（１９）とを有する天部材（２８）に、上記垂直面部（８）を備える断面略Ｚ字形の補助部材（２１）の下水平部（２５）が上記水平代部（１９）に重なるよう同水平代部（１９）と上記天基部（２７）との間に補助部材（２１）を嵌入せしめ、かつ、上記メインフレーム（２）の接合部（２３）に接合水平代（２４）を設け、この接合水平代（２４）と上記天基部（２７）とで上記補助部材（２１）の上水平部（２２）を挟持するようにし、上記接合水平代（２４）と上記天基部（２７）との間に上記補助部材（２１）の肉厚相当の隙間を設けるようになしているものであると、補助部材（２１）の上水平部（２２）をスペーサとして利用しているので、別途スペーサ部品が不要であり、部品点数を少なくできて、部品管理および組立が容易であり、また、接合水平代（２４）の方が天基部（２７）より低い位置にあるから、接合水平代（２４）の上に開口蓋板（２９）や強制放熱ユニットなどのオプションユニット（３１）などを固定ネジ（１６）などで止めて設置するような場合、固定ネジ（１６）のネジ頭を天基部（２７）から沈めることができ、天基部（２７）からの固定ネジ（１６）のネジ頭の突出がなくなり、ネジ頭が見え難くて、その結果、美観に優れる電子機器収納ボックスを提供できるものである。
【００４１】
また、上記ベース部（１）側の袋状立上部（７）の内周縁の場合と同様に、上記天部（３）側の袋状立上部（７）の内周縁に目隠し縁（２６）を連設しているものであると、このような天部（３）側の袋状立上部（７）の内周縁に連設している目隠し縁（２６）にて側板（４）、背板（５）、扉（６）と、袋状立上部（７）の頂部との隙間から、電子機器収納ボックスの内部が見えることなく、美観的に非常に優れる電子機器収納ボックスを提供できるものである。また、目隠し縁（２６）に防塵パッキンを貼りつけるなどすれば、防塵タイプの電子機器収納ボックスを提供できるものである。
【００４２】
そして、図１０の（ａ）および（ｂ）に示すごとく、上記天部（３）側の袋状立上部（７）は、オプションユニット（３１）を取着するための開口（３０）を有しており、この開口（３０）の対向辺近傍部にオプションユニット取着孔（３２）を所定ピッチで複数設けるとともに、このオプションユニット取着孔（３２）を用いて取着される開口蓋板（２９）を設けて、この開口蓋板（２９）をずらして同オプションユニット（３１）を取着する数に応じて取着するようになしているものであると、オプションユニット（３１）の取着する数に合わせて、開口蓋板（２９）をずらしてオプションユニット取着孔（３２）を用いて取着することができるので、ブランク板代わりに開口蓋板（２９）を用いることが可能になり、廃材が無くて無駄が無い、非常に優れる電子機器収納ボックスを提供できるものである。
【００４３】
さらに、図１２の（ａ）および（ｂ）に示すごとく、上記メインフレーム（２）の稜線近傍に係止部（３５）を形成して、この係止部（３５）に交換可能なように着脱自在となした被係止部（３４）を有する化粧枠（３３）を取りつけているものであると、化粧枠（３３）を取り替えるだけで、簡単に見栄えを変更することができて、安価に多様なユーザーに対応でき、しかも、電子機器収納ボックスを連設する場合に、隣接するメインフレーム（２）間にわたって係止可能な化粧枠（３３）を設けることも可能であり、連設時の美観に非常に優れた電子機器収納ボックスを提供できるものである。
【００４４】
ちなみに、上述したような図１２の（ａ）および（ｂ）に示すものに加えて、図１１に示すごとく、上記メインフレーム（２）が化粧枠（３３）を兼ねたような、いわゆる、化粧枠（３３）とメインフレーム（２）とが一体となったタイプのものが採用されたとしてもかまわないものである。
【００４５】
そして、図１３および図１４に示すごとく、上記扉（６）に近接する各メインフレーム（２）に、上記扉（６）の側縁が当接する当接面部（３６）をそれぞれ設けて、この当接面部（３６）に中桟固定孔（３８）を穿設しておき、この中桟固定孔（３８）に中桟（３７）を取り付けることによって、同扉（６）を複数に上下分割行えるようになしているものであると、予め中桟固定孔（３８）が設けられているので、中桟固定孔（３８）に中桟（３７）を固定ネジ（１６）などを介して取り付けることによって、必要に応じて、扉（６）の上下分割が容易に行えるものである。
【００４６】
本発明の電子機器収納ボックスによると、図１ないし図１６に示すごとく、略矩形のベース部（１）と、このベース部（１）の四隅に立設されるメインフレーム（２）と、このメインフレーム（２）の上端部に取着される天部（３）と、隣接する上記メインフレーム（２）にそれぞれ固定され、同メインフレーム（２）の側面および背面をそれぞれ閉鎖する側板（４）および背板（５）と、同メインフレーム（２）の前面に取着される開閉自在な扉（６）とを有している電子機器収納ボックスにおいて、上記ベース部（１）の周縁に袋状立上部（７）を設け、上記メインフレーム（２）の下端（１３）に上記袋状立上部（７）のコーナー部分の奥行方向および幅方向の両垂直面部（８）に密着できる接合面部（９）を有している接合部材（１０）を設け、同ベース部（１）にて上記接合面部（９）と上記両垂直面部（８）とを結合部材（１１）で固定するようになしたので、接合面部（９）と両垂直面部（８）とを結合部材（１１）で固定することによって、ベース部（１）とメインフレーム（２）との結合を強固にできるので、地震などの揺れに対してぐらつき難くでき、しかも結合部材（１１）としてボルトなどを用いても結合部材（１１）を外観からは見えないようにすることができ、頑丈で美観に優れる電子機器収納ボックスを提供できるものである。
【００４７】
すなわち、本発明は、頑丈で美観に優れる電子機器収納ボックスとなっているものである。
【００４８】
【発明の効果】
本発明の請求項１に係る電子機器収納ボックスによると、接合面部（９）と両垂直面部（８）とを結合部材（１１）で固定することによって、ベース部（１）とメインフレーム（２）との結合を強固にできるので、地震などの揺れに対してぐらつき難くでき、しかも結合部材（１１）としてボルトなどを用いても結合部材（１１）を外観からは見えないようにすることができ、頑丈で美観に優れる電子機器収納ボックスを提供できるものである。特に、補助部材（２１）の下水平部（２５）をスペーサとして利用しているので、別途スペーサ部品が不要であり、部品点数を少なくできて、部品管理および組立が容易であり、また、接合水平代（２４）とベース基部（１７）との間に隙間があるから、接合水平代（２４）の上に台（１５）などを固定ネジ（１６）などで止めて設置するような場合、固定ネジ（１６）のネジ足を逃がすことができ、ベース基部（１７）から固定ネジ（１６）のネジ足を突き出させることがなく、チャンネルベースなどの上に載置することなく、床面に直置きできる、非常に優れる電子機器収納ボックスを提供できるものである。
【００５０】
本発明の請求項２に係る電子機器収納ボックスによると、請求項１記載の場合に加えて、袋状立上部（７）の内周縁に連設している目隠し縁（２６）にて側板（４）、背板（５）、扉（６）と、袋状立上部（７）の頂部との隙間から、電子機器収納ボックスの内部が見えることなく、美観的に非常に優れる電子機器収納ボックスを提供できるものである。また、目隠し縁（２６）に防塵パッキンを貼りつけるなどすれば、防塵タイプの電子機器収納ボックスを提供できるものである。
【００５１】
本発明の請求項３に係る電子機器収納ボックスによると、請求項１または請求項２記載の場合に加えて、ベース部（１）だけでなく天部（３）でも接合面部（９）と両垂直面部（８）とを結合部材（１１）で固定することができるので、地震などの揺れに対して更にぐらつき難くでき、しかも結合部材（１１）としてボルトなどを用いても結合部材（１１）を外観からは見えないようにすることができ、頑丈で美観に優れる電子機器収納ボックスを提供できるものである。特に、補助部材（２１）の上水平部（２２）をスペーサとして利用しているので、別途スペーサ部品が不要であり、部品点数を少なくできて、部品管理および組立が容易であり、また、接合水平代（２４）の方が天基部（２７）より低い位置にあるから、接合水平代（２４）の上に開口蓋板（２９）や強制放熱ユニットなどのオプションユニット（３１）などを固定ネジ（１６）などで止めて設置するような場合、固定ネジ（１６）のネジ頭を天基部（２７）から沈めることができ、天基部（２７）からの固定ネジ（１６）のネジ頭の突出がなくなり、ネジ頭が見え難くて、その結果、美観に優れる電子機器収納ボックスを提供できるものである。
【００５２】
本発明の請求項４に係る電子機器収納ボックスによると、請求項３の場合に加えて、このような天部（３）側の袋状立上部（７）の内周縁に連設している目隠し縁（２６）にて側板（４）、背板（５）、扉（６）と、袋状立上部（７）の頂部との隙間から、電子機器収納ボックスの内部が見えることなく、美観的に非常に優れる電子機器収納ボックスを提供できるものである。また、目隠し縁（２６）に防塵パッキンを貼りつけるなどすれば、防塵タイプの電子機器収納ボックスを提供できるものである。
【００５３】
本発明の請求項５に係る電子機器収納ボックスによると、請求項３または請求項４記載の場合に加えて、オプションユニット（３１）の取着する数に合わせて、開口蓋板（２９）をずらしてオプションユニット取着孔（３２）を用いて取着することができるので、ブランク板代わりに開口蓋板（２９）を用いることが可能になり、廃材が無くて無駄が無い、非常に優れる電子機器収納ボックスを提供できるものである。
【００５４】
本発明の請求項６に係る電子機器収納ボックスによると、請求項１ないし請求項５いずれか記載の場合に加えて、化粧枠（３３）を取り替えるだけで、簡単に見栄えを変更することができて、安価に多様なユーザーに対応でき、しかも、電子機器収納ボックスを連設する場合に、隣接するメインフレーム（２）間にわたって係止可能な化粧枠（３３）を設けることも可能であり、連設時の美観に非常に優れた電子機器収納ボックスを提供できるものである。
【００５５】
本発明の請求項７に係る電子機器収納ボックスによると、請求項１ないし請求項６いずれか記載の場合に加えて、予め中桟固定孔（３８）が設けられているので、中桟固定孔（３８）に中桟（３７）を固定ネジ（１６）などを介して取り付けることによって、必要に応じて、扉（６）の上下分割が容易に行えるものである。
【図面の簡単な説明】
【図１】（ａ）は、本発明の一実施形態に係る電子機器収納ボックスを示した扉を取り除いた正面図であり、（ｂ）は、（ａ）の電子機器収納ボックスでメインフレームの下端付近を示した要部の断面図である。
【図２】本発明の一実施形態に係る電子機器収納ボックスを示した要部のみを示した一部破断した斜視図である。
【図３】本発明の一実施形態に係る電子機器収納ボックスの全体を示した概略図である。
【図４】本発明の一実施形態に係る電子機器収納ボックスで扉を取り付けた際の全体の様子を示した概略図である。
【図５】本発明の他の一実施形態に係る電子機器収納ボックスを示した要部のみの斜視図である。
【図６】本発明の図５とは別の他の一実施形態に係る電子機器収納ボックスを示した要部のみの斜視図である。
【図７】図１の（ａ）の電子機器収納ボックスをＡ−Ａ線で切った一実施形態に係る断面図である。
【図８】図１の（ａ）の電子機器収納ボックスをＢ−Ｂ線で切った一実施形態に係る断面図である。
【図９】図１の（ａ）の電子機器収納ボックスをＡ−Ａ線で切った他の一実施形態に係る断面図である。
【図１０】（ａ）、（ｂ）ともに、本発明のさらに他の一実施形態に係る電子機器収納ボックスを示した要部のみの斜視図である。
【図１１】本発明の図１０とは別のさらに他の一実施形態に係る電子機器収納ボックスを示した要部のみの断面図である。
【図１２】（ａ）、（ｂ）ともに、本発明の図１０や図１１とは別のさらに他の一実施形態に係る電子機器収納ボックスを示した要部のみの断面図である。
【図１３】本発明の図１０ないし図１２とは別のさらに他の一実施形態に係る電子機器収納ボックスを示した斜視図である。
【図１４】図１３の電子機器収納ボックスの要部のみの断面図である。
【図１５】本発明の一実施形態に係る電子機器収納ボックスでメインフレームの下端付近を示した扉を開けている際の要部の斜視図である。
【図１６】本発明の電子機器収納ボックスが一個ないし複数個並べて配置されている様子を示した斜視図である。
【図１７】一従来例に係る電子機器収納ボックスにおいて、扉を閉じている際の様子を示した斜視図である。
【図１８】一従来例に係る電子機器収納ボックスにおいて、扉を開けている際の様子を示した斜視図である。
【図１９】他の一従来例に係る電子機器収納ボックスを示した要部のみの断面図である。
【符号の説明】
１    ベース部
２    メインフレーム
３    天部
４    側板
５    背板
６    扉
７    袋状立上部
８    垂直面部
９    接合面部
１０  接合部材
１１  結合部材
１３  下端
１４  上端
１７  ベース基部
１８  立上部
１９  水平代部
２０  ベース部材
２１  補助部材
２２  上水平部
２３  接合部
２４  接合水平代
２５  下水平部
２６  目隠し縁
２７  天基部
２８  天部材
２９  開口蓋板
３０  開口
３１  オプションユニット
３２  オプションユニット取着孔
３３  化粧枠
３４  被係止部
３５  係止部
３６  当接面部
３７  中桟
３８  中桟固定孔
【図１】
0003698062.tif 000002
【図２】
0003698062.tif 000003
【図３】
0003698062.tif 000004
【図４】
0003698062.tif 000005
【図５】
0003698062.tif 000006
【図６】
0003698062.tif 000007
【図７】
0003698062.tif 000008
【図８】
0003698062.tif 000009
【図９】
0003698062.tif 000010
【図１０】
0003698062.tif 000011
【図１１】
0003698062.tif 000012
【図１２】
0003698062.tif 000013
【図１３】
0003698062.tif 000014
【図１４】
0003698062.tif 000015
【図１５】
0003698062.tif 000016
【図１６】
0003698062.tif 000017
【図１７】
0003698062.tif 000018
【図１８】
0003698062.tif 000019
【図１９】
0003698062.tif 000020